(57)【要約】【課題】受信側の情報処理端末の位置情報を正確に把握し、最適な電波送信電力、およびアンテナからの電波送出方向の制御を行い、高品質なデータ伝送を行う。【解決手段】映像送信側となる情報処理端末は、たとえば、３点法などを用いて他の情報処理端末の位置検出計算を行い、計算結果である位置情報を位置検出情報格納エリア２７ａに格納する。映像受信側の情報処理端末から映像送信要求が発生すると、伝送品質制御部２８は、送信したトレーニングデータを送信から、ビット誤り率やパケット誤り率などの伝送品質指標を算出し、算出した伝送品質指標、および位置検出情報格納エリア２７ａに格納された位置情報から、通信に最適な送信条件を算出し、その結果を送信条件格納部２９に格納する。映像情報の送出の際には、送信条件格納部２９の送信条件となるように、データ伝送用無線部１４ｂの制御を行う。【選択図】図４
2008177650.tif 000002
【特許請求の範囲】
【請求項１】
無線通信によって任意の情報処理端末間においてデータの送受信を行う無線通信システムであって、
前記情報処理端末は、
データの送受信を行うデータ伝送用無線部と、
通信する他の情報処理端末の位置を検出し、データを送信する際に検出した位置情報に基づいて電波の強度、および送信方向を制御し、通信品質を最適化する無線通信制御部とを備えたことを特徴とする無線通信システム。
【請求項２】
請求項１記載の無線通信システムにおいて、
前記無線通信制御部は、
通信する他の情報処理端末の位置を検出する端末位置検出部と、
前記端末位置検出部が検出した前記他の情報処理端末の位置情報に基づいて、データを送信する際の送信条件が最適となるように制御する通信制御部とよりなることを特徴とする無線通信システム。
【請求項３】
請求項２記載の無線通信システムにおいて、
前記通信制御部は、
前記端末位置検出部が検出した位置情報を格納する位置情報格納部と、
トレーニングデータを送信して伝送品質指標を算出する伝送品質指標算出部と、
前記伝送品質指標算出部が算出した伝送品質指標、および前記位置情報格納部に格納された位置情報から、通信に最適な送信条件を算出する通信条件算出部とよりなることを特徴とする無線通信システム。
【請求項４】
請求項３記載の無線通信システムにおいて、
前記伝送品質指標算出部が算出する伝送品質指標は、
データ送信時のビット誤り率、およびパケット誤り率を含むことを特徴とする無線通信システム。
【請求項５】
請求項２〜４のいずれか１項に記載の無線通信システムにおいて、
前記通信条件算出部が算出する送信条件は、
データ送信時の指向調整値、および送信電力値からなることを特徴とする無線通信システム。
【請求項６】
請求項２〜５のいずれか１項に記載の無線通信システムにおいて、
前記端末位置検出部は、
通信する他の情報処理端末の位置を検出する際に、ＵＷＢ方式の通信方式を用いることを特徴とする無線通信システム。
【請求項７】
請求項２〜６のいずれか１項に記載の無線通信システムにおいて、
前記データ伝送用無線部、および前記位置検出用無線部は、各々独立したアンテナを具備することを特徴とした無線通信システム。
【発明の詳細な説明】
【技術分野】
【０００１】
本発明は、無線通信による安定したデータの伝送技術に関し、特に、ワイヤレスＬＡＮ（Ｌｏｃａｌ  Ａｒｅａ  Ｎｅｔｗｏｒｋ）における端末間の最適なデータ通信制御に有効な技術に関する。
【背景技術】
【０００２】
昨今、パーソナルコンピュータなどの情報処理装置を中心としたワイヤレスＬＡＮの普及率が高くなってきており、今後、デジタルテレビやＤＶＤ（Ｄｉｇｉｔａｌ  Ｖｅｒｓａｔｉｌｅ  Ｄｉｓｃ）／ＨＤＤ（Ｈａｒｄ  Ｄｉｓｃ  Ｄｒｉｖｅ）レコーダなどのデジタルコンシューマ機器への搭載、普及が見込まれている。
【０００３】
デジタルコンシューマ機器に搭載されるワイヤレスＬＡＮ技術では、デジタルオーディオ、ハイビジョン映像などのＡＶ（Ａｕｄｉｏ  Ｖｉｓｕａｌ）ストリームのホーム内伝送が必要である。
【０００４】
特に、映像伝送では、その伝送品質がテレビ視聴（地上波デジタル放送、インターネット放送、Ｖｉｄｅｏ  ｏｎ  Ｄｅｍａｎｄなど）に大きく影響する為、エラーのない高品質な伝送を行う事が不可欠となる。
【０００５】
高品質な伝送を実現するためには、たとえば、電波干渉を回避させることが大きな課題となる。この電波干渉を回避させるには、送信側の端末から受信側の端末に対する電波の送出方向、および電波強度などを最適に制御することが必要である。
【０００６】
本発明者の検討によれば、電波の送出方向、および電波強度などを最適に制御する技術として、ワイヤレスＬＡＮ（ＩＥＥＥ８０２．１１）を利用し、いわゆる三点法によって３台以上による電波の受信状態から対向する端末の位置を予測するものが考えられる。
【０００７】
この種のワイヤレスＬＡＮにおける高品質な伝送を実現する技術として、たとえば、データの送受信を行う無線通信装置が、自局周囲における他のＡＰ装置の存在を探知してその方向情報を取得し、探知した方向に存在する他のＡＰ装置に対して、異なるＡＰ間通信制御部を割り当てて通信処理を行うことにより、ネットワークシステム全体の最大伝送容量が増大するものがある（特許文献１参照）。
【特許文献１】特開２００５−３２３２１９号公報
【発明の開示】
【発明が解決しようとする課題】
【０００８】
ところが、上記のようなワイヤレスＬＡＮにおけるデータ伝送技術では、次のような問題点があることが本発明者により見い出された。
【０００９】
すなわち、三点法を用いて端末の位置を予測する場合、端末の設置位置によっては、壁などの様々な障害物が存在する恐れがあり、位置精度に大きな誤差（たとえば、数ｍ以上）が生じてしまうこともあり、家庭環境で電波の送出方向、および電波強度などを最適に制御することが困難である。
【００１０】
本発明の目的は、受信側の各情報処理端末の位置情報を正確に把握し、最適な電波送信電力、およびアンテナからの電波送出方向の制御を行うことにより、電波干渉の耐性を大幅に向上させ、高品質なデータ伝送を行うことのできる技術を提供することにある。
【００１１】
本発明の前記ならびにそのほかの目的と新規な特徴については、本明細書の記述および添付図面から明らかになるであろう。
【課題を解決するための手段】
【００１２】
本願において開示される発明のうち、代表的なものの概要を簡単に説明すれば、次のとおりである。
【００１３】
本発明は、無線通信によって任意の情報処理端末間においてデータの送受信を行う無線通信システムであって、該情報処理端末は、データの送受信を行うデータ伝送用無線部と、通信する他の情報処理端末の位置を検出し、データを送信する際に検出した位置情報に基づいて電波の強度、および送信方向を制御し、通信品質を最適化する無線通信制御部とを備えたものである。
【００１４】
また、本願のその他の発明の概要を簡単に示す。
【００１５】
本発明は、前記無線通信制御部が、通信する他の情報処理端末の位置を検出する端末位置検出部と、該端末位置検出部が検出した他の情報処理端末の位置情報に基づいて、データを送信する際の送信条件が最適となるように制御する通信制御部とよりなるものである。
【００１６】
また、本発明は、前記通信制御部が、端末位置検出部が検出した位置情報を格納する位置情報格納部と、トレーニングデータを送信して伝送品質指標を算出する伝送品質指標算出部と、該伝送品質指標算出部が算出した伝送品質指標、および位置情報格納部に格納された位置情報から、通信に最適な送信条件を算出する通信条件算出部とよりなるものである。
【００１７】
さらに、本発明は、前記伝送品質指標算出部が算出する伝送品質指標が、データ送信時のビット誤り率、およびパケット誤り率を含むものである。
【００１８】
また、本発明は、前記通信条件算出部が算出する送信条件が、データ送信時の指向調整値、および送信電力値からなるものである。
【００１９】
さらに、本発明は、前記端末位置検出部が、通信する他の情報処理端末の位置を検出する際に、ＵＷＢ（Ｕｌｔｒａ  Ｗｉｄｅ  Ｂａｎｄ）方式の通信方式を用いるものである。
【００２０】
また、本発明は、前記データ伝送用無線部、および前記位置検出用無線部が、各々独立したアンテナを具備するものである。
【発明の効果】
【００２１】
本願において開示される発明のうち、代表的なものによって得られる効果を簡単に説明すれば以下のとおりである。
【００２２】
（１）データ送信を行う際に、情報処理端末の位置に応じて、電波送信の強度や角度などを最適に設定することが可能となり、データを安定して送信することができる。
【００２３】
（２）また、上記（１）により、電波漏洩の低減、および他のワイヤレス伝送システムとの電波干渉などを回避することができる。
【００２４】
（３）さらに、電波強度を距離や遮蔽物に応じて適正化することができるので、ワイヤレス伝送システムの省電力化を実現することができる。
【発明を実施するための最良の形態】
【００２５】
以下、本発明の実施の形態を図面に基づいて詳細に説明する。なお、実施の形態を説明するための全図において、同一の部材には原則として同一の符号を付し、その繰り返しの説明は省略する。
【００２６】
図１は、本発明の一実施の形態によるワイヤレス伝送システムの構成例を示す説明図、図２は、図１のワイヤレス伝送システムに設けられたＡＶサーバにおける構成例を示したブロック図、図３は、図１のワイヤレス伝送システムにおいて映像情報を受け取る側の情報処理端末の構成例を示すブロック図、図４は、図１の情報処理端末に設けられた無線データ伝送／位置検出部の構成例を示すブロック図、図５は、図１のワイヤレス伝送システムにおける映像送信側の情報処理端末のメモリ構成例を示した説明図、図６は、図１のワイヤレス伝送システムにおける映像受信側の情報処理端末のメモリ構成例を示した説明図、図７は、図１のワイヤレス伝送システムにおける映像送信側の情報処理端末の位置検出、および映像伝送処理の一例を示すフローチャート、図８は、図１のワイヤレス伝送システムにおける映像受信側の情報処理端末の位置検出、および映像伝送処理の一例を示すフローチャートである。
【００２７】
本実施の形態において、ワイヤレス伝送システム１は、電波による伝送路を利用したシステムであり、たとえば、ワイヤレスＬＡＮ（ＩＥＥＥ８０２．１１）技術を用いて構成されたホームネットワークからなる。
【００２８】
無線通信システムであるワイヤレス伝送システム１は、図１に示すように、ＡＶサーバ２、ビデオカメラ３、デジタルカメラ４、携帯電話などに例示される携帯情報端末５、パーソナルコンピュータ６、プリンタ７、およびテレビ８などの複数の情報処理端末から構成されている。これら情報処理端末は、ワイヤレスデータ伝送によって相互に通信する。
【００２９】
ワイヤレス伝送システム１では、パーソナルコンピュータ６を中心としたデータ伝送だけでなく、ＡＶサーバ２を中心とした映像やオーディオなどのＡＶ系ストリーム伝送がデータ通信と並行して行われる。
【００３０】
ＡＶサーバ２は、ＢＳ（Ｂｒｏａｄｃａｓｔｉｎｇ  Ｓａｔｅｌｌｉｔｅ）／ＣＳ（Ｃｏｍｍｕｎｉｃａｔｉｏｎ  Ｓａｔｅｌｌｉｔｅ）、地上波、ＣＡＴＶ（Ｃｏｍｍｕｎｉｔｙ  Ａｎｔｅｎｎａ  ＴｅｌｅＶｉｓｉｏｎ）の受信、およびインターネット接続などが可能となっている。
【００３１】
図２は、ＡＶサーバ２における構成例を示したブロック図である。
【００３２】
ＡＶサーバ２は、たとえば、セットトップボックス２ａとＤＶＤ／ＨＤＤなどのストレージ２ｂから構成されており、セットトップボックス２ａには、ストレージ２ｂが接続されている。
【００３３】
セットトップボックス２ａは、チューナ９，１０、ＡＶ変換部１１、映像／音声コーデック１２、デマルチプレクサ１３、ならびに無線データ伝送／位置検出部１４から構成されている。
【００３４】
映像送信側端末となるＡＶサーバ２における映像コンテンツのソースとしては、たとえば、チューナ９が受信する地上波、ＢＳやコンポジット信号などのアナログ映像情報、複数のチューナ１０がそれぞれ受信するデジタル放送などによるデジタル映像情報、およびストレージ２ｂに予め格納されたデジタルストレージコンテンツなどがある。
【００３５】
また、無線通信制御部として機能する無線データ伝送／位置検出部１４は、制御部１４ａ、データ伝送用無線部１４ｂ、ならびに位置検出用無線部１４ｃから構成されている。制御部１４ａは、データ伝送用無線部１４ｂにおけるデータ伝送処理、および位置検出用無線部１４ｃが送受信する位置検出用データに基づいた他の情報処理端末の位置を検出処理などの制御を司る。
【００３６】
データ伝送用無線部１４ｂには、アンテナＡＮＴ１が接続されている。このデータ伝送用無線部１４ｂは、アンテナＡＮＴ１を介して、たとえば、ＩＥＥＥ（Ｉｎｓｕｔｉｔｕｔｅ  ｏｆ  Ｅｌｅｃｔｒｏｎｉｃ  ａｎｄ  Ｅｌｅｃｔｒｏｎｉｃｓ  Ｅｎｇｉｎｅｅｒｓ）によって無線ＬＡＮの標準仕様として定められたＩＥＥＥ８０２．１１を用いて映像などのデータを送受信する。
【００３７】
位置検出用無線部１４ｃには、アンテナＡＮＴ２が接続されている。端末位置検出部となる位置検出用無線部１４ｃは、アンテナＡＮＴ２を介して、たとえば、ＵＷＢ技術を用いて情報処理端末の位置検出を行う。
【００３８】
これらアンテナＡＮＴ１，ＡＮＴ２は、１本、あるいは複数本（ダイバーシチやＭＩＭＯ（Ｍｕｌｔｉｐｌｅ  Ｉｎｐｕｔ  Ｍｕｌｔｉｐｌｅ  Ｏｕｔｐｕｔ）など）でそれぞれ構成されている。
【００３９】
ＡＶサーバ２において、アナログコンテンツを無線を介して伝送する場合、ＡＶ変換部１１によって画像劣化を防ぐ処理や音声／映像に分離する処理などを施した後、映像／音声コーデック１２にその処理信号を入力し、任意のデジタル圧縮処理（たとえば、ＭＰＥＧ（Ｍｏｖｉｎｇ  Ｐｉｃｔｕｒｅ  Ｅｘｐｅｒｔｓ  Ｇｒｏｕｐ）２、Ｈ．２６４、およびコンテンツ保護処理など）を行う。続いて、デジタル圧縮したデータを無線データ伝送／位置検出部１４に出力し、無線にて映像を出力する。
【００４０】
また、デジタル放送を受信したデータを伝送する際には、既に所定の映像圧縮処理がかかっているため必要なチャンネル情報を選択するデマルチプレクサ１３を介して伝送用映像情報を取り出す。その後、本データを無線データ伝送／位置検出部１４に入力し、無線にて映像を出力する。
【００４１】
さらに、デジタルストレージ情報を伝送する場合には、通常映像圧縮された状態で格納されているため、本情報にコンテンツ保護などの処理を施した後、無線データ伝送／位置検出部１４に入力し、無線にて映像を出力する。
【００４２】
なお、図２では、映像送信側端末としてＡＶサーバ２が機能する際の構成を示したが、映像送信側端末はＡＶサーバ２以外となる場合もあり、たとえば、映像送信側端末となり得る携帯情報端末５やパーソナルコンピュータ６なども同様の構成を備えるものとする。
【００４３】
図３は、テレビ８などの映像情報を受け取る側の映像受信側情報端末の構成例を示すブロック図である。
【００４４】
テレビ８は、図示するように、映像／音声コーデック１５、ＡＶ変換部１６、高詳細画像処理部１７、無線データ伝送／位置検出部１８、およびモニタ１９から構成されている。
【００４５】
無線通信制御部として機能する無線データ伝送／位置検出部１８が受信した映像情報は、該無線データ伝送／位置検出部１８において無線パケットから映像パケットへの変換を経て、コンテンツ保護の復号化が行われる。その後、映像／音声コーデック１５が復号化処理を行う。
【００４６】
この時、現データがアナログ品質の場合は、ＡＶ変換部１６を経てコンポジット信号を出力し、テレビ８に映像が出力される。また、現データがデジタル高品質の場合には、高精細画像処理部１７を経て高精細信号（ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）信号など）を出力しテレビ８に映像が出力される。
【００４７】
なお、無線データ伝送／位置検出部１８は、図２の無線データ伝送／位置検出部１４と同様の構成であり、制御部１８ａ、データ伝送用無線部１８ｂ、位置検出用無線部１８ｃ、およびアンテナＡＮＴ３，ＡＮＴ４から構成されている。
【００４８】
図４は、無線データ伝送／位置検出部１４（，１８）の構成例を示すブロック図である。
【００４９】
無線データ伝送／位置検出部１４（，１８）において、制御部１４ａは、ホストインタフェース２０、映像データインタフェース２１、ホストコマンド／データ処理部２２、無線プロトコル制御部２３、キャリアセンス制御部２４、映像／データ伝送制御部２５、位置検出制御部２６、メモリ２７、伝送品質（ＱｏＳ）制御部２８、および送信条件格納部２９から構成されている。
【００５０】
ホストインタフェース２０は、ＡＶ変換部１１に接続されており、該ＡＶ変換部１１とのデータ／コマンド通信を行うインタフェースである。映像データインタフェース２１は、ストレージ２ｂが接続されており、該ストレージ２ｂからの映像データを授受するインタフェースである。
【００５１】
ホストコマンド／データ処理部２２には、ホストインタフェース２０、映像データインタフェース２１、および無線プロトコル制御部２３がそれぞれ接続されている。このホストコマンド／データ処理部２２は、ホストインタフェース２０からのデータ／コマンドによる送信要求処理、受信要求処理、あるいはチャンネル変更要求処理などの制御を行う。
【００５２】
無線プロトコル制御部２３は、ホストコマンド／データ処理部２２の制御情報に基づいて無線接続全体を制御する。無線プロトコル制御部２３には、キャリアセンス制御部２４、映像／データ伝送制御部２５、位置検出制御部２６、メモリ２７、伝送品質制御部２８、および送信条件格納部２９がそれぞれ接続されている。
【００５３】
キャリアセンス制御部２４は、無線プロトコル制御部２３の制御対象として接続先通信端末を探索、ならびにデータ伝送用無線部１４ｂと位置検出用無線部１４ｃとの制御を行う。通常、データ伝送用となる端末同士でキャリアセンスを行い、通信可能かどうかの同定の実施、および通常時の通信による接続先同定や位置検出用無線部による接続先同定を行う。キャリアセンス制御部２４は、データ伝送用無線部１４ｂ、および位置検出用無線部１４ｃがそれぞれ接続されている。
【００５４】
映像／データ伝送制御部２５は、映像、ならびにデータを伝送する通信制御を行う。映像／データ伝送制御部２５には、位置検出用無線部１４ｃが接続されている。端末位置検出部となる位置検出制御部２６は、接続先の位置情報を探索する。位置検出制御部２６には、位置検出用無線部１４ｃが接続されている。
【００５５】
メモリ２７は、位置検出情報格納エリア２７ａ、伝送品質情報格納エリア２７ｂ、および映像伝送／位置検出用プログラム格納エリア２７ｃを備えている。位置検出情報格納エリア２７ａは、位置検出制御部２６が検出した位置検出情報を格納する記憶領域である。位置検出情報は、たとえば、接続先端末までの距離、角度、および高低差などからなる。
【００５６】
伝送品質情報格納エリア２７ｂは、伝送品質制御部２８が算出する後述する伝送品質情報をデータベース化して格納する。映像伝送／位置検出用プログラム格納エリア２７ｃは、映像伝送、ならびに位置検出に必要なプログラム、制御ソフト、データ、ワークエリアなど格納する領域である。
【００５７】
図５、図６は、各情報処理端末メモリ２７のメモリ構成例を示した説明図である。
【００５８】
図５は、映像送信を行う情報処理端末に設けられたメモリ２７のメモリ構成を示した図である。
【００５９】
この場合、位置検出情報格納エリア２７ａは、映像受信側となる情報処理端末の位置情報が格納される領域となり、伝送品質情報格納エリア２７ｂは、データベース化された伝送品質情報が格納される領域となる。
【００６０】
また、映像伝送／位置検出用プログラム格納エリア２７ｃは、データ伝送用無線部１４ｂの映像送信に用いられる映像送信プログラム、映像受信側の情報処理端末の位置を検出する位置検出プログラム、共有バッファエリア、映像送信プログラムの実行時にワークエリアとして用いられる映像送信プログラム用ワークエリア、ならびに位置検出プログラムの実行時に用いられる位置検出プログラム用ワークエリアから構成されている。
【００６１】
図６は、映像受信を行う情報処理端末に設けられたメモリ２７のメモリ構成を示した図である。
【００６２】
この場合、伝送品質情報格納エリア２７ｂ、および映像伝送／位置検出用プログラム格納エリア２７ｃのメモリ構成は、図５と同様であり、異なるところは、位置検出情報格納エリア２７ａに映像送信側の情報処理端末の位置情報と映像受信側となる情報処理端末の位置情報とが格納されるエリアとなる。
【００６３】
映像受信を行う情報処理端末のメモリ２７において、映像送信側の情報処理端末の位置情報だけでなく、映像受信側となる情報処理端末の位置情報を格納するのは、該情報処理端末が映像送信側の情報処理端末として動作することも想定しているからである。
【００６４】
また、図４において、通信制御部となり、伝送品質指標算出部、および通信条件算出部として機能する伝送品質制御部２８は、位置検出情報を元に伝送品質を最適化する。この伝送品質制御部２８には、映像／データ伝送制御部２５、位置検出制御部２６、メモリ２７、および送信条件格納部２９がそれぞれ接続されている。
【００６５】
送信条件格納部２９は、伝送品質制御部２８が算出した位置検出情報に伴う各接続相手先への最適な送信条件が格納されている。この送信条件格納部２９に格納されている送信条件は、たとえば、指向調整値、および送信電力値などからなる。
【００６６】
次に、本実施の形態における無線データ伝送／位置検出部１４（，１８）の動作について説明する。
【００６７】
まず、制御部１４ａの伝送品質制御部２８は、位置検出用無線部１４ｃを用いて接続先の位置情報（相手までの距離、方向）を探索し、その情報を元にアンテナの指向性、および送信電力を調整する。
【００６８】
続いて、映像／データ伝送用制御部２５を用いて実際にトレーニングデータを送信し、その時のビット誤り率やパケット誤り率などの伝送品質指標をデータベース化する。初期位置情報を元に何回か送信条件を変更、およびトレーニング試行を行い、最適な通信条件を検出する。
【００６９】
そして、得られた最適な条件を位置検出情報と共にメモリ２７の位置検出情報格納エリア２７ａに格納する。これらの情報は、常に位置検出用無線部１４ｃを介して更新される。
【００７０】
また、位置情報を元に通信した場合、相手接続局との間に障害物が存在し、うまく伝送品質が確保できないケースも考えられる。この場合は、伝送品質情報格納エリア２７ｂに格納された伝送品質情報を元に伝送品質情報をホストインタフェースを経由してシステム側に通知し、ユーザに知らせる。
【００７１】
図７は、映像送信側の情報処理端末における無線データ伝送／位置検出部１４による位置検出、および映像伝送の処理例を示すフローチャートである。
【００７２】
まず、映像送信側となる情報処理端末に電源が投入されると（ステップＳ１０１）、該情報処理端末の初期設定が行われる。その後、映像受信側となる情報処理端末を特定するために位置検出プログラムが起動し（ステップＳ１０２）、位置検出用無線部１４ｃがキャリアセンス状態に入る（ステップＳ１０３）。このとき、映像伝送用無線部１４ｂにおいても同様に通常のキャリアセンス状態に入り、他の映像伝送用端末のキャリアセンスを行う。
【００７３】
続いて、位置検出用無線部１４ｃは、位置検出要求を送信し、他の情報処理端末の有無を検索し（ステップＳ１０４）、他の情報処理端末がなければステップＳ１０３の処理であるキャリアセンス状態を維持する。
【００７４】
また、ステップＳ１０４の処理において、他の情報処理端末がある場合、通信可能となる情報処理端末を特定する（ステップＳ１０５）。続いて、位置検出制御部２６は、複数ある通信可能な情報処理端末から、任意の２台の情報処理端末を選択し、位置検出プログラムにより得られたクロック同期情報、データ通信情報（キャリアセンス時の受信強度、情報処理端末の角度など）を基に、いわゆる３点法を用いて位置検出計算を行い（ステップＳ１０６）、検出した各々の情報処理端末の位置情報をメモリ２７の位置検出情報格納エリア２７ａに格納する（ステップＳ１０７）。
【００７５】
その後、個々の受信側の情報処理端末から送信される位置検出情報をメモリ２７の位置検出情報格納エリア２７ａに格納する（ステップＳ１０８）。このステップＳ１０８の処理における位置情報は、後述する図８ステップＳ２０７の処理により得られた情報が各々の受信側の情報処理端末から送信される。
【００７６】
通信可能な情報処理端末が３台以上有る場合は（ステップＳ１０９）、ステップＳ１０６の処理において選択した１台と新たに選択した任意の１台を含む２台の情報処理端末を選択し、同様の処理により位置検出を行い、その検出情報を位置検出情報格納エリア２７ａに格納する（ステップＳ１１０）。
【００７７】
これらステップＳ１０９，Ｓ１１０の処理を繰り返して、すべての映像受信側の情報処理端末の位置検出を行い、その検出情報を位置検出情報格納エリア２７ａに格納する（ステップＳ１１１）。
【００７８】
続いて、映像受信側となる情報処理端末より映像送信要求が発生した場合（ステップＳ１１２）、位置検出制御部２６は、該当する映像受信側の情報処理端末を特定する。その後、伝送品質制御部２８は、映像／データ伝送用制御部２５を用いて実際にトレーニングデータを送信し、その時のビット誤り率やパケット誤り率などの伝送品質指標を算出し（ステップＳ１１３）、メモリ２７の伝送品質情報格納エリア２７ｂに格納する。
【００７９】
続いて、伝送品質制御部２８は、算出した伝送品質指標、および位置検出情報格納エリア２７ａに格納された位置情報から、通信に最適な送信条件を算出し（ステップＳ１１４）、その結果を送信条件格納部２９に格納する。
【００８０】
そして、映像情報の送出が開始される（ステップＳ１１５）。このとき、無線プロトコル制御部２３は、送信条件格納部２９に格納された送信条件となるように、映像／データ伝送制御部２５を介してデータ伝送用無線部１４ｂの制御を行う。
【００８１】
また、映像受信側の情報処理端末は、家庭内などで持ち歩きで移動することがあるため、映像送信が終了となるまで常に位置情報をモニタリングし、映像受信側の情報処理端末が移動した場合にはその都度、位置検出、ならびに計算を行い映像送信側の情報処理端末のメモリ２７における位置検出情報格納エリア２７ａの位置情報を更新する（ステップＳ１１６）。
【００８２】
映像送信が終了すると（ステップＳ１１７）、位置検出制御部２６は、位置検出されていない受信側の情報処理端末が存在するか否かを検索し（ステップＳ１１８）、位置検出されていない情報処理端末がある場合には、ステップＳ１１０からの処理を実行する。
【００８３】
また、ステップＳ１１８の処理において、位置検出されていない情報処理端末がない場合には、ステップＳ１１２からの処理を実行する。
【００８４】
図８は、映像受信側の情報処理端末における無線データ伝送／位置検出部１４による位置検出、および映像伝送の処理例を示すフローチャートである。
【００８５】
まず、映像受信側情報処理端末に電源が投入され（ステップＳ２０１）、初期設定が終了すると、メモリ２７の映像伝送／位置検出用プログラム格納エリア２７ｃに格納された位置検出プログラムが起動し（ステップＳ２０２）、位置検出用無線部１４ｃがキャリアセンス状態となるとともに、電波送信可能となったことを知らせるビーコン送出状態となる（ステップＳ２０３）。
【００８６】
映像送信側情報処理端末から位置検出要求が送信されるまでキャリアセンス、およびビーコン送出状態を保持し（ステップＳ２０４）、要求があった場合（ステップＳ２０５）、位置検出制御部２６は、映像送信側の情報処理端末、および他の映像受信側情報処理端末との間で位置検出計算を実行する（ステップＳ２０６）。
【００８７】
そして、映像受信側情報処理端末から見た映像送信側情報処理端末の位置情報、および自局以外の他の映像受信側情報処理端末の位置情報を、メモリ２７の位置検出情報格納エリア２７ａに格納する（ステップＳ２０７）。このステップＳ２０７の処理によって得られた位置検出情報は、映像送信側情報処理端末に送信される。
【００８８】
続いて、映像受信側情報処理端末から映像受信開始要求が発生されると（ステップＳ２０８）、位置検出制御部２６は、該当する映像送信側の情報処理端末の位置情報をメモリ２７から読み出し、該メモリ２７から読み出した位置情報に対応する伝送品質情報に基づいて無線電波の送出方向、およびその距離に応じた電波強度を設定し（ステップＳ２０９）、無線リンクを確立する（ステップＳ２１０）。
【００８９】
その後、無線プロトコル制御部２３は、映像情報の送出開始コマンドを映像送信側情報処理端末に対して発行し映像受信が開始される（ステップＳ２１１）。また、映像受信側の情報処理端末は家庭内などで移動することがあるため、映像受信が終了するまで常に映像送信側の情報処理端末との間で位置情報をモニタリングし当該映像受信端末が移動した場合にはその都度位置検出及び計算を行い映像受信側端末のメモリエリア内にある位置情報を更新する（ステップＳ２１２）。
【００９０】
そして、映像受信が終了するまで（ステップＳ２１３）、ステップＳ２１１，Ｓ２１２の処理を行い、映像受信が終了した際には（ステップＳ２１３）、ステップＳ２０３からの処理を実行する。
【００９１】
それにより、本実施の形態によれば、映像送信側の情報処理端末、および複数の映像受信側の情報処理端末の位置に応じて、電波送信の強度や角度などを最適に設定することが可能となり、映像などのデータを安定して通信することができる。
【００９２】
また、電波の送出方向や電波強度を適正化することができるので、電波漏洩の低減、および他のワイヤレス伝送システムとの電波干渉などを回避することができる。
【００９３】
さらに、電波強度を距離や遮蔽物に応じて適正化するので、ワイヤレス伝送システム１の省電力化を実現することができる。
【００９４】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００９５】
本発明ワイヤレスＬＡＮによるデータ送信時の最適な電波送信電力、および電波送出方向の制御技術に適している
【図面の簡単な説明】
【００９６】
【図１】本発明の一実施の形態によるワイヤレス伝送システムの構成例を示す説明図である。
【図２】図１のワイヤレス伝送システムに設けられたＡＶサーバにおける構成例を示したブロック図である。
【図３】図１のワイヤレス伝送システムにおいて映像情報を受け取る側の情報処理端末の構成例を示すブロック図である。
【図４】図１の情報処理端末に設けられた無線データ伝送／位置検出部の構成例を示すブロック図である。
【図５】図１のワイヤレス伝送システムにおける映像送信側の情報処理端末のメモリ構成例を示した説明図である。
【図６】図１のワイヤレス伝送システムにおける映像受信側の情報処理端末のメモリ構成例を示した説明図である。
【図７】図１のワイヤレス伝送システムにおける映像送信側の情報処理端末の位置検出、および映像伝送処理の一例を示すフローチャートである。
【図８】図１のワイヤレス伝送システムにおける映像受信側の情報処理端末の位置検出、および映像伝送処理の一例を示すフローチャートである。
【符号の説明】
【００９７】
１  ワイヤレス伝送システム
２  ＡＶサーバ
２ａ  セットトップボックス
２ｂ  ストレージ
３  ビデオカメラ
４  デジタルカメラ
５  携帯情報端末
６  パーソナルコンピュータ
７  プリンタ
８  テレビ
９，１０  チューナ
１１  ＡＶ変換部
１２  映像／音声コーデック
１３  デマルチプレクサ
１４  無線データ伝送／位置検出部
１４ａ  制御部
１４ｂ  データ伝送用無線部
１４ｃ  位置検出用無線部
１５  映像／音声コーデック
１６  ＡＶ変換部
１７  高詳細画像処理部
１８  無線データ伝送／位置検出部
１８ａ  制御部
１８ｂ  データ伝送用無線部
１８ｃ  位置検出用無線部
１９  モニタ
２０  ホストインタフェース
２１  映像データインタフェース
２２  ホストコマンド／データ処理部
２３  無線プロトコル制御部
２４  キャリアセンス制御部
２５  映像／データ伝送制御部
２６  位置検出制御部
２７  メモリ
２７ａ  位置検出情報格納エリア
２７ｂ  伝送品質情報格納エリア
２７ｃ  映像伝送／位置検出用プログラム格納エリア
２８  伝送品質制御部
２９  送信条件格納部
ＡＮＴ１  アンテナ
ＡＮＴ２  アンテナ
ＡＮＴ３  アンテナ
ＡＮＴ４  アンテナ
【図１】
2008177650.tif 000003
【図２】
2008177650.tif 000004
【図３】
2008177650.tif 000005
【図４】
2008177650.tif 000006
【図５】
2008177650.tif 000007
【図６】
2008177650.tif 000008
【図７】
2008177650.tif 000009
【図８】
2008177650.tif 000010